(57)【要約】【課題】腹部圧迫を確実に防止できる軽量で低価格なリクライニング式車椅子の提供。【解決手段】ベースフレーム３の支持部６で支持された背部支持枠８（背部４）の座部支持枠７（座部５）とは反対側方向への揺動時に、同じベースフレーム３の支持部６で支持されて、背部支持枠８がベースフレーム３方向へ摺動すると共に、座部支持枠７がベースフレーム３の上方向へ揺動するようにして、背部支持枠８の揺動時に使用者の腹部が圧迫されないようにする。しかも、この腹部が圧迫しない背部支持枠８と座部支持枠７との動きを、リンク機構９で確実に行えるようにすると共に、リンク機構９を用いることで、腹部を圧迫させないリクライニング式車椅子１を簡単で軽量な構造として低価格で提供する。【選択図】    図１
2005040297.tif 000002
【特許請求の範囲】
【請求項１】
走行車輪が設けられているベースフレームに、そのベースフレームから立上がる状態の背部とベースフレームに沿う状態の座部とが設けられている車椅子であり、
前記ベースフレームに設けられている支持部と、この支持部によって、前記ベースフレームの上方向へ揺動自在に支持されている前記座部用の座部支持枠と、前記支持部によって、前記ベースフレーム方向への揺動および摺動が自在に支持されている前記背部用の背部支持枠とを備えており、
前記座部支持枠と前記背部支持枠とはリンク機構を介して連動するように構成されて、前記背部支持枠の座部支持枠とは反対側方向への揺動時に、前記背部支持枠が前記ベースフレーム方向へ摺動すると共に、前記座部支持枠が前記ベースフレームの上方向へ揺動することを特徴とするリクライニング式車椅子。
【請求項２】
前記リンク機構は、一端が前記ベースフレームに揺動および摺動が自在に設けられ他端が前記座部支持枠に軸着されている座部揺動支持バーと、一端が前記ベースフレームに軸着され他端が前記背部支持枠に軸着されている背部揺動支持バーと、一端が前記座部揺動支持バーに軸着され他端が前記背部揺動支持バーに軸着されている連動バーとから構成されていることを特徴とする請求項１記載のリクライニング式車椅子。
【請求項３】
前記座部へ腰を下ろす方向側である前記ベースフレームの端部と、前記ベースフレーム側である前記背部支持枠の端部とに両端部が軸着されて、前記背部支持枠の摺動および揺動を阻止するロックバーが設けられていることを特徴とする請求項１記載のリクライニング式車椅子。
【発明の詳細な説明】
【産業上の利用分野】
この発明は、座部および背部からなる椅子部分において、起立状態の背部を傾倒させることができるようにしたリクライニング式車椅子に関するものである。
【従来の技術】
リクライニング式とした車椅子には、リクライニングした状態から背もたれの部分（以後、背部）を起こす際に、背部と座部との位置関係から、腹部を圧迫する場合が多いという難点がある。
そのため、従来のリクライニング式車椅子では、例えば、背部と共に座部も動かして腹部の圧迫を防止するというように、背部と座部とが連動するようなリクライニング動作にする機構を設けたものが知られている。
このようなリクライニング動作にする機構としては、例えば、電気、空気圧、油圧などを利用する装置（モーターやシリンダー）を用いたものが考えられる。
出願人も、伸縮自在なロッド（シリンダー）を用いてリクライニングさせる「リクライニング機構を備えた車椅子（特開２００２−２０９９５２号公報参照）」を出願している。
【特許文献１】
特開２００２−２０９９５２号公報
【発明が解決しようとする課題】
前述した従来のリクライニング式車椅子では、その背部と座部とが連動するようなリクライニング動作にする機構が、複雑で大掛かりになる傾向にあることから、車椅子全体の重量を重くしていると共に、高価なものとしている。従って、従来のリクライニング式車椅子は、手軽に使用することが難しいものであった。
この発明は前記課題を解消するために開発したものであり、腹部の圧迫を確実に防止できる軽量で低価格なリクライニング式車椅子を提供することを目的としている。
【課題を解決するための手段】
この発明（請求項１の発明）のリクライニング式車椅子では、走行車輪を有するベースフレームに設けられている支持部と、この支持部によって、ベースフレームの上方向へ揺動自在に支持されている座部用の座部支持枠と、支持部によって、ベースフレーム方向への揺動および摺動が自在に支持されている背部用の背部支持枠とを備えており、座部支持枠と背部支持枠とがリンク機構を介して連動するように構成されている。
そして、このリクライニング式車椅子では、背部支持枠の座部支持枠とは反対側方向への揺動時において、背部支持枠がベースフレーム方向へ摺動すると共に、座部支持枠がベースフレームの上方向へ揺動するように構成されている。
なお、リンク機構としては、例えば、請求項２のように、「一端がベースフレームに揺動および摺動が自在に設けられ他端が座部支持枠に軸着されている座部揺動支持バーと、一端がベースフレームに軸着され他端が背部支持枠に軸着されている背部揺動支持バーと、一端が座部揺動支持バーに軸着され他端が背部揺動支持バーに軸着されている連動バーとから構成されている。」ものが考えられる。
このようなこの発明よれば、ベースフレームの支持部で支持されて背部支持枠が座部支持枠とは反対側方向へ揺動する時に、即ち、背部（背もたれの部分）をリクライニングさせた時に、ベースフレームの支持部で支持されて背部支持枠がベースフレーム方向へ摺動すると共に、ベースフレームの支持部で支持されて座部支持枠がベースフレームの上方向へ揺動することになる。
このように背部支持枠の揺動および摺動と座部支持枠の揺動とが、同じ、ベースフレームの支持部で支持されて行われることにより、リクライニング時の背部と座部とを使用者の腹部が圧迫されないようにして動作させることができる。
しかも、この腹部が圧迫しない背部支持枠（背部）と座部支持枠（座部）との動きを、リンク機構によって、確実に行うことができると共に、リンク機構を用いることによって、腹部を圧迫させない車椅子を、簡単で軽量な構造として、低価格で提供することができる。
即ち、リンク機構は、例えば、前述した請求項２のように各バーから構成されることになるので、簡単で軽量な構造にすることができる。従って、リクライニング式車椅子全体も、簡単で軽量な構造にでき低価格で提供することができる。
【発明の実施の形態】
以下、この発明のリクライニング式車椅子を図示する実施の形態例に基づいて説明する。
車椅子１（図１参照）は、走行車輪２が設けられているベースフレーム３に、そのベースフレーム３から立上がる状態の背部４と、ベースフレーム３に沿う状態の座部５とが設けられている。
この発明（請求項１の発明）のリクライニング式車椅子１は、図１に示すように、ベースフレーム３に設けられている支持部６と、この支持部６によって、ベースフレーム３の上方向へ揺動自在に支持されている座部５用の座部支持枠７と、支持部６によって、ベースフレーム３方向への揺動および摺動が自在に支持されている背部４用の背部支持枠８とを備えている。
そして、座部支持枠７と背部支持枠８とはリンク機構９を介して連動するように構成されており、背部支持枠８の座部支持枠７とは反対側方向への揺動時において、背部支持枠８がベースフレーム３方向へ摺動すると共に、座部支持枠７がベースフレーム３の上方向へ揺動する。
この実施形態でのベースフレーム３は、下部において、直接走行車輪２に支持されて、車椅子１の座席部分全体を支持するものであり、上部横杆３ａと中央部横杆３ｂと下部横杆３ｃと左右の両縦杆３ｄとから略日字状に形成されている。
そして、ベースフレーム３の上部横杆３ａには、支持部６が設けられていると共に、背部揺動支持バー１１の一端が軸着されている。また、ベースフレーム３の中央部横杆３ｂには、座部揺動支持バー１０の一端の摺動をガイドする摺動ガイド１３が固定されている。
この実施形態でのリンク機構９（請求項２の発明）は、一端がベースフレーム３に揺動および摺動が自在に設けられ他端が座部支持枠７に軸着されている座部揺動支持バー１０と、一端がベースフレーム３に軸着され他端が背部支持枠８に軸着されている背部揺動支持バー１１と、一端が座部揺動支持バー１０に軸着され他端が背部揺動支持バー１１に軸着されている連動バー１２とから構成されている。
そして、このリンク機構９における連動バー１２は、座部揺動支持バー１０と背部揺動支持バー１１とを、即ち、座部支持枠７と背部支持枠８とを連動させることになる。
なお、この実施形態でのリンク機構９においては、ベースフレーム３の中央部横杆３ｂに固定した摺動ガイド１３にガイドされて、座部揺動支持バー１０の一端に軸着したガイドローラー１４が回転しながらベースフレーム３の中央部横杆３ｂに沿って移動することで「座部揺動支持バー１０の一端が摺動自在に設けられる」という構成になっている。
また、この実施形態でのリンク機構９においては、摺動ガイド１３で中央部横杆３ｂに沿う移動だけに規制されたガイドローラー１４の軸着部によって「座部揺動支持バー１０の一端が揺動自在に設けられる」という構成になっている。
この実施形態での座部支持枠７には、座部５へ腰を下ろす方向側である前部において、座部揺動支持バー１０が軸着されていると共に、座部５へ腰を下ろす方向側である後部において、ベースフレーム３の支持部６に軸着されている。
この実施形態での背部支持枠８には、略直角に折曲した下端部において、背部揺動支持バー１１の他端が軸着されていると共に、ベースフレーム３の支持部６での支持位置において、摺動ガイド１５が固定されている。さらに、この背部支持枠８における背部揺動支持バー１１の軸着部にはロックバー１６の一端が設けられている。
なお、この実施形態での背部支持枠８は、背部支持枠８に固定されている摺動ガイド１５と、ベースフレーム３の支持部６に軸着したガイドローラー１７とによって、「支持部６によって、ベースフレーム３方向への揺動および摺動が自在に支持されている」という構成になっている。
即ち、摺動ガイド１５がガイドローラー１７に支持されローラーの回転で移動することにより、「背部支持枠８が、支持部６によって、ベースフレーム３方向へ摺動自在に支持されている」という構成になっている。
また、摺動ガイド１５が、ガイドローラー１７に支持されると共に、ローラーの回転でガイドローラー１７の周囲を回動することで、「背部支持枠８が、支持部６によって、ベースフレーム３方向へ揺動自在に支持されている」という構成になっている。
この実施形態でのロックバー１６（請求項３の発明）は、座部５へ腰を下ろす方向側であるベースフレーム３の端部と、ベースフレーム３側である背部支持枠８の端部とに両端部が軸着されて、背部支持枠８の摺動および揺動を阻止するものである。
即ち、ロックバー１６は、背部支持枠８の摺動および揺動を阻止することで、背部支持枠８の傾倒状態を所定の角度で保持することができる。しかも、このロックバー１６は、背部支持枠８と座部支持枠７とが連動することから、座部支持枠７の上方向への揺動を所定の角度で保持することができる。
このようなリクライニング式車椅子１のリクライニング動作は、ロックバー１６での揺動阻止を解除して、背部支持枠８を傾倒させることで行われる。
この背部支持枠８の傾倒は、即ち、ベースフレーム３の支持部６によって支持された背部支持枠４の揺動は、一端がベースフレーム３に軸着されていると共に、他端が背部支持枠８の下端部に軸着されている背部揺動支持バー１１に支持されて行われる。
ここで、背部揺動支持バー１１と背部支持枠８との関係のついて説明すると、一端を中心として揺動する背部揺動支持バー１１の他端が最も低い位置よりも背部支持枠８側のやや高くなる位置において、背部支持枠８が起立した状態となる。また、背部揺動支持バー１１の他端が最も低い位置よりも座部支持枠７側のやや高くなる位置において、背部支持枠８が傾倒した状態となる。
そして、背部支持枠８を傾倒（揺動）させると、背部揺動支持バー１１が揺動してその他端が最も低い位置よりも座部支持枠７側のやや高くなる位置に移動する。
この時に、背部揺動支持バー１１一端のベースフレーム３への軸着部が、ベースフレーム３の支持部６よりも座部支持枠７側に位置するので、背部支持枠８が座部支持枠７側のベースフレーム３方向へ引っ張られる状態になる。
この引っ張られることにより、背部支持枠８の摺動ガイド１５が、支持部６のガイドローラー１７に支持されローラーの回転で移動することから、背部支持枠８が、支持部６で支持されて、ベースフレーム３方向へ摺動することとなる。
一方、背部支持枠８を傾倒（揺動）させて背部揺動支持バー１１が揺動すると、背部揺動支持バー１１に軸着した連動バー１２が、摺動ガイド１３にガイドされている座部揺動支持バー１０の一端（ガイドローラー１４）を、ベースフレーム３（中央部横杆３ｂ）に沿って移動させることとなる。
そして、この一端（ガイドローラー１４）がベースフレーム３（中央部横杆３ｂ）に沿って移動した座部揺動支持バー１０は、他端に軸着した座部支持枠７を上方へ揺動させることになる。
これらのことから、背部支持枠８の傾倒（揺動）および座部支持枠７側であるベースフレーム３方向への摺動（移動）と、座部支持枠７の上方へ揺動という、この発明のリクライニング式車椅子１におけるリクライニング動作が行われる。
なお、背部支持枠８の傾倒（揺動）および摺動（移動）状態と、座部支持枠７の揺動状態とは、即ち、走行車輪２が設けられているベースフレーム３から立上がる状態の背部４と、ベースフレーム３に沿う状態の座部５とのリクライニング角度は、背部支持枠８の傾倒および摺動と座部支持枠７の揺動とをロックバー１６で阻止することにより、所定の状態（角度）に保持できる。
この背部４と座部５とを所定角度で保持すること、即ち、リクライニング状態を保持することは、例えば、ロックバー１６を伸縮自在として所定の長さにすることと、長さの違うロックバー１６を何本か用意しそれを適宜取り替えることとが考えられる。
このような構成からなるこの発明のリクライニング式車椅子１によれば、ベースフレーム３の支持部６で支持されて背部支持枠８が座部支持枠７とは反対側方向へ揺動する時に、即ち、背部４（背もたれの部分）をリクライニングさせた時に、ベースフレーム３の支持部６で支持されて背部支持枠８がベースフレーム３方向へ摺動すると共に、ベースフレーム３の支持部６で支持されて座部支持枠７がベースフレーム３の上方向へ揺動することになる。
このように背部支持枠８の揺動および摺動と座部支持枠７の揺動とが、同じ、ベースフレーム３の支持部６で支持されて行われることにより、リクライニング時の背部４と座部５とを使用者の腹部が圧迫されないようにして動作させることができる。
しかも、この腹部が圧迫しない背部支持枠８（背部４）と座部支持枠７（座部５）との動きを、リンク機構９によって、確実に行うことができると共に、リンク機構９を用いることによって、腹部を圧迫させない車椅子を、簡単で軽量な構造として、低価格で提供することができる。
即ち、リンク機構９は、例えば、請求項２のように、座部揺動支持バー１０と背部揺動支持バー１１と連動バー１２との各バーから構成されることになるので、簡単で軽量な構造にすることができる。従って、リクライニング式車椅子全体も、簡単で軽量な構造にでき低価格で提供することができる。
また、この実施形態においては、リンク機構９の各バーと、背部支持枠８の摺動ガイド１５およびベースフレーム３の支持部６（ガイドローラー１７）と、ベースフレーム３の摺動ガイド１３および座部揺動支持バー１０のガイドローラー１４とによって、「背部支持枠８の揺動時に、背部支持枠８がベースフレーム３方向へ摺動すると共に、座部支持枠７がベースフレーム３の上方向へ揺動する」というこの発明のリクライニング動作を確実に行うことができる。
【発明の効果】
この発明によれば、ベースフレームの支持部で支持された背部支持枠が座部支持枠とは反対側方向へ揺動する時に、ベースフレームの支持部で支持されて背部支持枠がベースフレーム方向へ摺動すると共に、ベースフレームの支持部で支持されて座部支持枠がベースフレームの上方向へ揺動することにより、リクライニング時に車椅子使用者の腹部が圧迫されないようにできる。
しかも、この腹部が圧迫しない背部支持枠と座部支持枠との動き（リクライニング動作）を、リンク機構によって、確実に行うことができると共に、リンク機構を用いることによって、腹部を圧迫させない車椅子を、簡単で軽量な構造として、低価格で提供できる。
即ち、リンク機構は、例えば、請求項２のように各バーから構成されることになるので、簡単で軽量な構造にすることができる。従って、リクライニング式車椅子全体も、簡単で軽量な構造にでき低価格で提供することができる。
【図面の簡単な説明】
【図１】この発明のリクライニング式車椅子を示す概略図である。
【図２】この発明の車椅子のリクライニング状態を示す概略図である。
【符号の説明】
１      リクライニング式車椅子
２      走行車輪
３      ベースフレーム
３ａ    上部横杆
３ｂ    中央部横杆
３ｃ    下部横杆
３ｄ    縦杆
４      背部
５      座部
６      支持部
７      座部支持枠
８      背部支持枠
９      リンク機構
１０    座部揺動支持バー
１１    背部揺動支持バー
１２    連動バー
１３    摺動ガイド
１４    ガイドローラー
１５    摺動ガイド
１６    ロックバー
１７    ガイドローラー
【図１】
2005040297.tif 000003
【図２】
2005040297.tif 000004